(57)【要約】音声、映像、およびデータ信号を受信することができる装置のための電力レベルを設定する方法および装置。放送データ信号およびデジタルホームネットワーキング信号を受信することができる受信機（１０）によって入力信号が受信される。システムは、受信機によって受信される入力信号のタイプに基づいて、受信機が第１の電力レベルを有する第１のモードで動作しているか、第２の電力レベルを有する第２のモードで動作しているかを判断する。入力信号が第１のタイプの入力信号である場合、第１の電力レベルに従って動作するように第１の回路を構成するために第１の回路上の少なくとも１つの設定を変更するための制御信号（１０６）が生成される。制御信号は第１の回路（１１０）に提供され、第１の回路は制御信号に基づいて第１の電力レベルに従って動作するように構成される。
2013517678.tif 000002
【特許請求の範囲】
【請求項１】
第１のタイプの入力信号および第２のタイプの入力信号のうちの少なくとも１つを受信するステップ（２１２）と、
前記受信した信号が、前記第１のタイプの入力信号であるか、前記第２のタイプの入力信号であるかを判断するステップ（２１２）と、
前記受信した信号が前記第１のタイプの入力信号である場合、第１の動作モードで使用するための電力レベルを設定する、第１の動作モードと関連する第１の制御信号を生成するステップ（２１６）と、
前記受信した信号が前記第２のタイプの入力信号である場合、第２の動作モードで使用するための電力レベルを設定する、第２の動作モードと関連する第２の制御信号を生成するステップ（２１７）と、
前記第１の制御信号（２１６）および第２の制御信号（２１７）を第１の回路に提供するステップと、
前記第１の制御信号（２１６）および第２の制御信号（２１７）に基づいて前記第１の回路の電力レベルを設定するステップと、
を含む、方法（２００）。
【請求項２】
前記第１の動作モードで使用するための前記電力レベルは、前記第２の動作モードで使用するための前記電力レベルよりも小さい、請求項１に記載の方法（２００）。
【請求項３】
前記第１の制御信号（２１６）を前記第１の回路と関連する第２の回路に提供し、前記第１のタイプの回路の前記電力レベルを整合するために前記第２のタイプの回路の電力レベルを設定するステップ（２１６）
をさらに含む、請求項１に記載の方法（２００）。
【請求項４】
前記第１の制御信号を生成するステップ（２１６）は、
低電力モードで動作するように前記第１の回路を構成するために変更されるべき前記第１の回路上の第１の設定、低電力モードで動作するように前記第１の回路を構成するために変更されるべき前記第１の回路上の第２の設定、および低電力モードで動作するように前記第１の回路を構成するために変更されるべき前記第１の回路上の第３の設定を識別するステップ（２１６）と、
前記第１の制御信号内に含めるために前記第１、第２、および第３の設定を表す前記データをコンパイルするステップと、
を含む、請求項１に記載の方法（２００）。
【請求項５】
前記第１の回路が低電力モードで動作しているとき、前記第１の設定は、変更されるべき前記第１の回路の少なくとも１つのレジスタ値を含み、前記第２の設定は、前記第１の回路の位相同期ループ（ＰＬＬ）に無効化されるようにすることを含み、前記第３の設定は、前記第１の回路の内部クロックに無効化されるようにすることを含む、請求項４に記載の方法（２００）。
【請求項６】
前記設定するステップが、
前記第１の制御信号中の前記第１、第２、および第３の設定に応じて前記第１の回路上の設定を変更するステップと、
前記変更された設定に応じて、前記第１のタイプの回路を低電力動作モードに切り換えるステップ（２１６）と、
をさらに含む、請求項４に記載の方法（２００）。
【請求項７】
前記入力信号が第２のタイプの入力信号である場合、好ましい動作モードを識別するために動作環境の少なくとも１つの特性を判断するステップ（２１４）と、
前記少なくとも１つの特性に応じて前記第１の制御信号および前記第２の制御信号（２１６、２１７）のうちの１つを変更するステップと、
をさらに含む、請求項１に記載の方法（２００）。
【請求項８】
受信機で使用される電力を制御するための方法（２００）であって、
放送信号およびデジタルホームネットワーキング信号のうちの少なくとも１つを含む入力信号を受信するステップ（２１２）と、
前記受信機が受信された入力信号に基づいて第１の電力レベルを有する第１のモードで動作しているか、第２の電力レベルを有する第２のモードで動作しているかを判断するステップ（２１３、２１４、２１５）と
前記入力信号が放送信号である場合、前記第１のモードで動作するように第１の回路上の少なくとも１つの設定を変更する制御信号を生成するステップ（２１６）と、
前記第１の回路に前記制御信号を提供するステップ（２１６）と、
前記制御信号に基づいて第１の電力レベルで動作するように前記第１の回路を構成するステップ（２１６）と、
を含む、前記方法（２００）。
【請求項９】
前記設定するステップ（２１６）は、
前記第１のモードとして低電力モードを有効にするために主要電源から前記第１の回路を切り離すステップと、
をさらに含む、請求項８に記載の方法（２００）。
【請求項１０】
前記設定するステップ（２１６）は、
前記第１の回路（１１０）が前記第１のモードとして低電力モードで動作することを示すために前記第１の回路でレジスタ値を変更するステップと、
前記第１の回路（１１０）の位相同期ループを無効にするステップと、
前記第１の回路（１１０）の内部クロックを無効にするステップと、
をさらに含む、請求項８に記載の方法（２００）。
【請求項１１】
前記第１のタイプの回路（１１０）と関連している第２の回路（１２０）に前記制御信号（１１２）を提供するステップと、
前記制御信号（１１２）に基づいて前記第１の電力レベルに従って動作するように前記第２の回路（１２０）を構成するステップと、
をさらに含む、請求項８に記載の方法（２００）。
【請求項１２】
前記第１の回路（１１０）は、デジタルホームネットワーキングデータを送受信することができるデジタルホームネットワーキング回路であり、前記第２の回路（１２０）は、デジタルホームネットワーキング信号を第１の周波数から第２の周波数へ変換するための変換器である、請求項１１に記載の方法（２００）。
【請求項１３】
前記入力信号がホームネットワーキング信号である場合、前記制御信号を変更するステップと、
前記第１の回路に前記制御信号を提供するステップと、
前記制御信号に基づいて前記第２の電力レベルに従って動作するように前記第１の回路を構成するステップと、
をさらに含む、請求項８に記載の方法（２００）。
【請求項１４】
前記第２の動作モードと関連するネットワーク特性を判断するステップ（２１４）と、
前記ネットワークが第１のネットワーキングプロトコルと関連して動作していることを前記ネットワーク特性が示す場合、前記第１の電力レベルに従って動作するよう前記第１の回路（１１０）を構成するステップと、
前記ネットワークが第２の異なるネットワーキングプロトコルと関連して動作していることを前記ネットワーク特性が示す場合、前記第２の電力レベルに従って動作するよう前記第１の回路（１１０）を構成するステップと、
をさらに含む、請求項１３に記載の方法（２００）。
【請求項１５】
前記第１のネットワーキングプロトコルはイーサネット（登録商標）プロトコルであり、前記第２のネットワーキングプロトコルはＭｕｌｔｉｍｅｄｉａ  ｏｖｅｒ  Ｃａｂｌｅ  Ａｌｌｉａｎｃｅ（ＭｏＣＡ）プロトコルである、請求項１４に記載の方法（２００）。
【請求項１６】
前記第２の動作モードと関連するネットワークのタイプに対するユーザ選択を判断するステップと、
第１のネットワーキングプロトコルを識別するユーザ選択に応じて前記第１の電力レベルに従って動作するように前記第１の回路（１１０）を構成するステップと、
第２のネットワーキングプロトコルを識別するユーザ選択に応じて前記第２の電力レベルに従って動作するように前記第１の回路（１１０）を構成するステップと、
をさらに含む、請求項１３に記載の方法（２００）。
【請求項１７】
第１の電力モードおよび第２の電力モードのうちの少なくとも１つで動作するデジタルホームネットワーキング信号を送受信するデジタルホームネットワーキング回路（１１０）と、
受信される受信入力信号（４）を分析して、前記受信信号が第１の信号タイプであるか、または第２の信号タイプであるかを判断し、前記受信入力信号に応じて制御信号（１０２）を生成する、前記デジタルホームネットワーキング回路に結合されたシステムコントローラ（１６）と、
前記制御信号に応じて、前記第１の電力モードにける第１の電力レベルにおいて、または前記第２の電力モードにおける第２の電力レベルにおいて前記デジタルホームネットワーキング回路（１１０）に電力を提供する、前記デジタルホームネットワーキング回路（１１０）および前記システムコントローラ（１６）に結合された電源（９）と、
を備える、装置。
【請求項１８】
前記第１の電力レベルは前記第２の電力レベルよりも小さい、請求項１７に記載の装置（１０）。
【請求項１９】
前記制御信号（１０２）は前記デジタルホームネットワーキング回路（１１０）を前記主要電源（９）から切り離し、前記デジタルホームネットワーキング回路が低電力モードで動作することを示すために前記デジタルホームネットワーキング回路（１１０）上のレジスタ値を変更し、前記デジタルホームネットワーキング回路（１１０）の位相同期ループを無効にし、前記デジタルホームネットワーキング回路（１１０）の内部クロックを無効にする、請求項１７に記載の装置（１０）。
【請求項２０】
デジタルホームネットワーキング信号を第１の周波数から第２の周波数へ変換する、前記デジタルホームネットワーキング回路（１１０）に結合された変換器（１２０）をさらに含む、請求項１７に記載の装置（１０）。
【請求項２１】
前記制御信号（１０２）は、前記デジタルホームネットワーキング回路（１１０）上の少なくとも１つの設定を変更し、前記受信された入力信号はホームネットワーキング信号であると判断する前記システムコントローラ（１６）に応じて前記第２の電力レベルにおいて動作するように前記デジタルホームネットワーキング回路（１１０）を構成する、請求項１７に記載の装置（１０）。
【請求項２２】
前記システムコントローラ（１６）はまた、前記第２の電力モードと関連するネットワーク特性を判断し、前記判断されたネットワーク特性に基づいて前記第１の電力レベルまたは前記第２の電力レベルで動作するように前記デジタルホームネットワーキング回路（１１０）を構成するために前記制御信号（１０２）を変更する、請求項２１に記載の装置（１０）。
【請求項２３】
前記システムコントローラ（１６）はまた、前記第２の電力モードと関連するネットワークのタイプのユーザ選択を判断し、前記判断されたユーザ選択に基づいて前記第１の電力レベルまたは前記第２の電力レベルで動作するように前記デジタルホームネットワーキング回路（１０）を構成するために前記制御信号（１０２）を変更する、請求項２１に記載の装置（１０）。
【発明の詳細な説明】
【技術分野】
【０００１】
本開示は、概して音声、映像、およびデータ信号を受信するための装置に関し、より詳細には、セットトップボックスの動作モードを検出することに応じてデジタルホームネットワーキング回路の電力使用量を自動的に調整するためのセットトップボックスに関する。
【背景技術】
【０００２】
この節は、以下に説明する本実施形態の様々な態様に関連する可能性がある当技術分野の様々な態様を読者に紹介することを目的としている。この説明は、本発明の様々な態様をより良く理解する助けとなるように、読者に背景情報を提供する際に役立つと考えられる。したがって、これらの文は、従来の技術の承認としてではなく、このような観点で読まれなければならないことを理解すべきである。
【０００３】
地上波、ケーブル、または衛星の信号を受信するために使用されるセットトップボックスなど、高度化したセットトップボックスは、様々な付加的ネットワーキング機能の１つまたはそれより多くを含むことが多い。複数のセットトップボックスが、通常単一顧客宅内に設置されるが、これらが互いに通信できるようになる機能として、デジタルホームネットワーキング（ＤＨＮ）サービスが含まれることが多い。よく知られている１つのＤＨＮプロトコルは、Ｍｕｌｔｉｍｅｄｉａ  ｏｖｅｒ  Ｃａｂｌｅ  Ａｌｌｉａｎｃｅ（ＭｏＣＡ）によって作成され、基本の放送（すなわちケーブルまたは衛星放送）サービスを配信するために使用される同じ配線システムを使用してセットトップボックス間で送信されたコンテンツおよび制御情報を含んでいる。衛星によるサービスの配信とともにＭｏＣＡを含むには、一般にホームネットワーキングシステムに使用される周波数スペクトルは、様々な衛星配信システムに使用されるスペクトル以外であることが必要である。こうしたセットトップボックスは、異なるネットワーク構成で動作することができる。例えばこうしたセットトップボックスは、Ｌバンド、すなわち９５０〜２１５０メガヘルツ（ＭＨｚ）、およびＢバンド、すなわち２５０〜８００ＭＨｚの周波数範囲で信号を受信する伝統的なネットワーク構成で動作することができる。あるいはこうしたセットトップボックスは、Ｌバンドの衛星信号を受信し、デジタルホームネットワーキング信号を送信／受信する、シングルワイヤモジュール（ｓｉｎｇｌｅ  ｗｉｒｅ  ｍｏｄｕｌｅ、ＳＷＭ）網の構成で動作することができる。
【０００４】
こうしたセットトップボックスは、多機能回路の複雑な設計を含んでいるので、こうしたボックスによって消費される電力量を最小限にすることが問題になる。さらに、一定の管轄では、こうしたセットトップボックスは、エネルギー効率の規格に従うように設計されなければならない。例えば、米国で使用するには、セットトップボックスは、連邦政府のエネルギースタープログラム（Ｅｎｅｒｇｙ  Ｓｔａｒ  Ｐｒｏｇｒａｍ）によって示される電力レベルに従うように設計されなければならない。これらのデバイスによって消費される電力量を削減すると、動作中に生み出される熱を低減するので、環境にとって有益であるだけでなく、これらのデバイスの動作もまた向上させる。放送通信と併せてホームネットワーキングの通信も使用するセットトップボックスによって消費される電力を最小限にすることと関連する問題に対処するシステムおよび方法が所望される。
【発明の概要】
【０００５】
１つの実施形態では、方法は、第１のタイプの入力信号および第２のタイプの入力信号のうちの少なくとも１つを受信するステップと、受信された信号が第１のタイプの入力信号であるか、第２のタイプの入力信号であるかを判断するステップと、受信された信号が第１のタイプの入力信号である場合、第１の動作モードで使用するための電力レベルを設定する、第１の動作モードと関連する第１の制御信号を生成するステップ（２１６）と、受信された信号が第２のタイプの入力信号である場合、第２の動作モードで使用するための電力レベルを設定する、第２の動作モードと関連する第２の制御信号を生成するステップと、第１の制御信号および第２の制御信号を第１の回路に提供するステップと、第１の制御信号および第２の制御信号に基づいて第１の回路の電力レベルを設定するステップとを含む。
【０００６】
別の実施形態では、受信機で使用される電力を制御するための方法は、放送信号およびデジタルホームネットワーキング信号のうちの少なくとも１つを含む入力信号を受信するステップと、受信した入力信号に基づいて受信機が第１の電力レベルを有する第１のモードで動作しているか、第２の電力レベルを有する第２のモードで動作しているかを判断するステップと、入力信号が放送信号である場合は第１のモードで動作するように第１の回路上の少なくとも１つの設定を変更する制御信号を生成するステップと、第１の回路に制御信号を提供するステップと、制御信号に基づいて第１の電力レベルで動作するように第１の回路を構成するステップとを含む。
【０００７】
さらなる実施形態は、第１の電力モードおよび第２の電力モードのうちの少なくとも１つで動作する、デジタルホームネットワーキング信号を送受信するデジタルホームネットワーキング回路と、受信された受信入力信号を分析して受信信号が第１の信号タイプであるか、第２の信号タイプであるかを判断し、受信入力信号に応じて制御信号を生成する、上記デジタルホームネットワーキング回路に結合されたシステムコントローラと、制御信号に応じて第１の電力モードでは第１の電力レベルで、または第２の電力モードでは第２の電力レベルでデジタルホームネットワーキング回路に電力を供給する、デジタルホームネットワーキング回路およびシステムコントローラに結合された電源とを含む装置を含む。
【図面の簡単な説明】
【０００８】
【図１】本開示の諸態様によるホーム通信および放送信号受信システムの一実施形態のブロック図である。
【図２】本開示の諸態様によるホーム通信および放送信号受信システムによって実行される制御アルゴリズムの流れ図である。
【図３】本開示の諸態様による電源スイッチング回路の一実施形態の回路図である。
【図４】本開示の諸態様によるホームネットワーキングベースバンド回路用のホームネットワーキング信号および制御バスインタフェースの一実施形態の回路図である。
【図５】本開示の諸態様によるホームネットワーキングｕｐ／ｄｎ変換器回路用のホームネットワーキング信号および制御バスインタフェースの一実施形態の回路図である。
【図６】本開示の諸態様によるシステムコントローラからホームネットワーク回路へのホームネットワーキングシリアルインタフェースの一実施形態の回路図である。
【図７】本開示の諸態様によるホーム通信および放送信号受信システムの動作モードの一実施形態の流れ図である。
【発明を実施するための形態】
【０００９】
本開示の１つまたは複数の特定の実施形態について以下に説明するが、こうした実施形態を簡潔に説明することを目指し、本明細書では実際の実施のすべての特徴について説明するわけではない。いかなるこのような実際の実装の開発においても、いかなる技術プロジェクトまたは設計プロジェクトにおいてもそうであるように、開発者の特定の目標を達成するために、例えばシステム関連のおよびビジネス関連の制約に従うことなど、実施によって異なる可能性がある数多くの実施時特有の決定をしなければならないということを理解すべきである。さらに、このような開発努力はやはり、本開示の恩恵を受ける当業者にとって設計、制作、製造の日常的な取り組みとなることを理解すべきである。
【００１０】
放送信号、より詳細には衛星信号およびホームネットワーキングシステムで使用するために定められた放送信号に関連するシステムについて、以下に説明する。記載する実施形態は、セットトップボックス、テレビ、または同様の信号受信デバイスにおいて使用することができる。同様のデバイスの例には、携帯電話、インテリジェント電話、携帯情報端末（ｐｅｒｓｏｎａｌ  ｄｉｇｉｔａｌ  ａｓｓｉｓｔａｎｔｓ）、およびラップトップコンピュータが含まれるが、これらに限定されない。他のタイプの信号を受信するために使用される他のシステムが、同様の構造および処理を含むことがある。本明細書に記載する回路および処理の諸実施形態は、１組の潜在的な実施形態にすぎないことを、同業者は理解するであろう。一般的に様々な放送規格およびワイヤレス規格に準拠している信号を、無線による（ｏｖｅｒ  ｔｈｅ  ａｉｒ）伝送、ワイヤレス網を介した伝送、または電話回線による伝送など、衛星網またはケーブル網以外の方法で送信できることに注意することが重要である。したがって、代替的実施形態では、システムの構成要素を再配列もしくは省略することができる、または追加の構成要素を追加することができる。例えば、わずかな変更を行って、世界のあらゆるところで使用されるサービスなど、他の地上波放送サービス、ｗｉ−ｆｉ映像および音声サービス、または電話データサービスで使用するように、記載するシステムを構成することができる。
【００１１】
以下に記載する諸実施形態は、主として信号の送受信に関連している。これらに限定ではないが、いくつかの制御信号および電源接続を含む諸実施形態のいくつかの態様については図では説明していない、または示していないが、当業者はこれらを容易に確認することができる。マイクロプロセッサ、およびプログラムコード、またはカスタム集積回路を使用することなど、ハードウェア、ソフトウェア、または両方のいかなる組合せを使用しても諸実施形態を実施することができることに注意すべきである。また、諸実施形態の多くは、反復動作および実施形態の様々な要素間の結合を含むことに注意すべきである。本明細書に記載する反復動作の代わりに、またはこれに加えて、連続して接続された同一要素の繰り返しを用いるパイプライン化アーキテクチャ（ｐｉｐｅｌｉｎｉｎｇ  ａｒｃｈｉｔｅｃｔｕｒｅｓ）を使用する代替的実施形態が可能である。
【００１２】
エネルギースターなどのエネルギー管理コンプライアンスは、一般的に家庭用電子機器の設計要件である。Ｍｉｄ−ＲＦ  ＭｏＣＡは、ＤＨＮシステムの最先端技術の一例であり、デジタルホームネットワーキングのトランシーバおよびｕｐ／ｄｎ変換器のチップセットに基づいている。実際には、ＤＨＮモデムの全電力損失は、これらの２つのチップおよび送信（Ｔｘ）電力増幅器においてある。ホストデバイス（例えば、衛星セットトップボックス）は動作しているが、ＤＨＮモデムは切れている、または低電力、すなわち低エネルギー使用のモードに置かれている場合があり、逆もまた同様である。特定の集積回路上のレジスタ設定とレジスタ設定を変更するための制御信号の組合せにより、ＤＨＮチップを低電力モードにしたり、解除したりする。さらに、Ｔｘ電力増幅器は、制御信号および金属酸化膜半導体電界効果トランジスタ（ＭＯＳＦＥＴ）スイッチでオンおよびオフにされる。以下に説明するシステムが制御アルゴリズムを実行して、ＭｏＣＡモデムの状態（例えば、オン、または省エネルギー）を制御する。このシステムは有利には、セットトップボックスのタイプ、およびセットトップボックスによって受信中の信号のタイプに基づいて、セットトップボックスの電力要求を考慮に入れる。例えば、デジタルビデオレコーディング（ＤＶＲ）対応でないセットトップボックスでは、セットトップが節電状態（例えば、スタンバイモード）である、または互換性のないネットワーク（すなわち、ＭｏＣＡに対立するイーサネット（登録商標））で使用中であるとき、ＤＨＮモデムは必要ではない。あるいは、ＤＶＲが装備されたセットトップボックスでは、ＤＨＮネットワーク上の他のデバイスからの要求に応答できるように、ホストが省エネ状態（スタンバイモード）であるとき、ＤＨＮモデムは動作できなければならないが、互換性のないネットワークに接続されているときは必要とされない。
【００１３】
エネルギーを節約するためにホームネットワーキング通信を受信および送信するためのデバイスの電力設定を構成するためのシステムおよび方法を提供する。ケーブル／衛星放送の信号とデジタルホームネットワーキング信号の両方を受信することができるセットトップボックスでは、回路に提供される電力レベルを一定のレベルに維持することが重要である。これは特に、家庭用電子機器が、エネルギーの使用および消費について詳述する特定の一連の指針の範囲内で動作しなければならない管轄で重要である。したがって、こうした多機能セットトップボックスが多くのタスクを行うとき、いかなる電気消費基準にも適合するように最も効率の良い方法で電力を使用することが重要である。システムによって実行されるアーキテクチャおよびプロセスは有利には、システムに提供されるユーザプロファイルデータに応じてシステムによっても判断される実際の動作モードに基づいて、システムの異なるそれぞれの集積回路に対する電力モードの自動構成を提供する。
【００１４】
例示的なエネルギー節約型信号トランシーバシステムについて本明細書に記載する。エネルギー節約型信号トランシーバは、例えば放送データ信号およびデジタルホームネットワーキング信号など、同じ入力経路を介して２つの異なるタイプのデータ信号を受信すると共に、デジタルホームネットワーキング信号を送信することができる。本明細書に記載するトランシーバは、セットトップボックスである。しかしながら、セットトップボックスの中で説明する回路およびその動作を、放送データ信号とデジタルホームネットワーキング信号の両方を受信する別の家庭用電子機器に実装することができることを同業者は理解するであろう。
【００１５】
図１を参照すると、ホーム通信および放送受信セットトップボックス１０の一実施形態のブロック図が示されている。セットトップボックス１０は、音声、映像、およびデータ信号の送受信に使用することができる。セットトップボックス１０は、受信機器２を介して提供される衛星信号データおよびデジタルホームネットワーキングデータを受信することができる場合がある。受信機器２は、少なくとも１つの入力信号を受信し、受信入力信号をセットトップボックス１０の入力コネクタ４に提供する。受信機器２は、（ａ）例えばＤｉｇｉｔａｌ  Ｓａｔｅｌｌｉｔｅ  Ｅｑｕｉｐｍｅｎｔ  Ｃｏｎｔｒｏｌ（デジタル衛星機器制御、ＤｉｓｅｑＣ）信号などの放送データ信号、および（ｂ）放送信号およびデジタルホームネットワーキング信号のうちの少なくとも１つを受信することができる。受信機器２は、例えば衛星放送用パラボラアンテナおよび放送信号またはデジタルホームネットワーキング信号のいずれかを受信するための他の周知の関連電子回路を含んでいる。受信機器２はまた、顧客構内のコンピュータ、ルータ、および電話など、他のホームネットワーキングデバイスへのインタフェースを含んでいる。セットトップボックス１０は、チューナ８を介して入力コネクタに接続され、またＤＨＮシステム１００にも接続されたシステムコントローラ１６を含む。システムコントローラ１００は、セットトップボックス１０内のすべての要素および他の回路の動作を制御する。ＤＨＮシステム１００およびチューナ８は、デバイス固有の機能を行う。チューナ８は、放送信号を受信し、復調する。単一のチューナ８のみを参照しているが、セットトップボックス１０には、ほぼ同じ時間に様々なチャネルを調整できる複数のチューナを含むことができることを当業者は理解するであろう。チューナ８は、入力コネクタ４で受信される放送音声／映像信号７を選択的に復調し、これらがシステムコントローラ１６によって、特定のサービスプロバイダによるなど周知の方法で放送されるように決定される。システム制御はチューナ８からの放送信号を処理し、これらを音声／映像信号として提供し、テレビまたはモニタなどのディスプレイデバイスに表示する。
【００１６】
セットトップボックス１０はさらに、入力コネクタ４とＤＨＮシステム１００との間に結合された送信／受信（Ｔｘ／Ｒｘ）スイッチ１０６を含んでいる。電源９は、システムコントローラ１６およびＤＨＮシステム１００に結合されて、これらの構成要素に選択的に電力を提供する。電源９は、家庭用電源出力（例えば１１０ボルトの交流電流）から電力を受け取り、セットトップボックス１０の回路で使用するために家庭用電力を変換する。単に例示の目的でＤＨＮシステム１００およびシステムコントローラ１６に結合された電源９を示しているが、セットトップボックス１０内のいかなる他の回路にも電源９を結合してそこに電力を提供できることに注意すべきである。
【００１７】
ＤＨＮシステム１００は、ＤＨＮベースバンド回路１１０と、ＤＨＮ  ｕｐ／ｄｎ変換器１２０と、ＤＨＮスイッチ１３０（例えば、ＭＯＳＦＥＴスイッチ）と、Ｔｘ／Ｒｘスイッチ１０６と、電力増幅器１４０とを含んでいる。システムコントローラ１６は、第１のコントロールバス１０２および第１のデータバス１０４を介してＤＨＮシステム１００に結合され、これに接続（ｉｎｔｅｒｆａｃｅ）する。第１の制御バス１０２は、管理データ入力／出力バス（Ｍａｎａｇｅｍｅｎｔ  Ｄａｔａ  Ｉｎｐｕｔ／Ｏｕｔｐｕｔバス、ＭＤＩＯ）を含むことができ、第１のデータバスは、媒体非依存インタフェース（Ｍｅｄｉａ  Ｉｎｄｅｐｅｎｄｅｎｔ  Ｉｎｔｅｒｆａｃｅ、ＭＩｌ）データバスを含むことができる。第１の制御バス１０２は、ＤＨＮベースバンド回路１１０とシステムコントローラ１６との間で１つまたはそれより多くの制御信号として組み入れられる制御情報の双方向通信を可能にする。例えば、制御情報は、ＬＯＷ  ＰＯＷＥＲモードまたはＦＵＬＬ  ＰＯＷＥＲなど、ＤＨＮシステム１００の動作モードを示すデータを含むことができる。制御信号に含まれるデータは、コネクタ４で受信される入力信号のタイプを分析することに応じて判断することができる。１つの実施形態では、入力信号の分析は、信号の組成を自動的に検出するためのアルゴリズムを実行するシステムコントローラ１６を含むことができ、それによってシステムコントローラ１６（またはセットトップボックスの他のタスク特定回路）は、入力コネクタ４で受信される入力信号の内容をポーリングする検出信号を生成する。これは、例えば、特定の位置にあるＳＷＭを備えた屋外ユニットの存在については、同軸コネクタ（ｃｏａｘ）をポーリングすることによって行うことができ、システムコントローラ１６に返される検出信号が結果を返さない、すなわちテストが偽である場合、システムコントローラ１６は、セットトップボックス１０は非ＳＷＭモード（例えば、ＤｉｓｅｑＣモード）で動作すべきであると判断する。システムコントローラ１６に返される検出信号が真の値を返す場合、システムコントローラ１６は、セットトップボックスがＳＷＭモードで動作していると判断する。
【００１８】
別の実施形態では、入力信号の分析は、入力信号の復調に必要とされる動作モードを識別するために、システムコントローラ１６（またはセットトップボックス１０内の他の専用回路）が入力信号の電力量を検出することを含むことができる。システムコントローラ１６は、第１の周波数レンジ、すなわち２５０ＭＨｚと９５０ＭＨｚ、および第２のより狭い周波数レンジ、すなわち５００ＭＨｚと６００Ｈｚの範囲内でセットトップボックス１０の入力に存在する電力量を検出する。ＤＨＮ周波数レンジ外に電力が存在するという検出結果に応じて、セットトップボックス１０は、デフォルトにより非ＳＷＭ（例えばＤｉｓｅｑＣモード）で動作することになる。ＤＨＮ周波数以外の信号では電力が存在しないが、ＤＨＮ帯の周波数レンジ内で電力を検知するという報告に応じて、システムコントローラ１６は、ＳＷＭの存在を検証するために送出されるＳＷＭポーリング信号を生成して送信し、ＤＨＮモードが有効であることを確認する。ＳＷＭポーリング信号は、システムコントローラ１６によってコネクタ４を介して外部受信機器２に提供される。システムコントローラ１６は、外部ＳＷＭデバイスに通信メッセージを生成する、および外部ＳＷＳから通信メッセージを受信する（ＳＷＭの通信モードは２．３ＭＨｚの双方向周波数偏移変調（Ｆｒｅｑｕｅｎｃｙ  Ｓｈｉｆｔ  Ｋｅｙｉｎｇ、ＦＳＫ）方式の変調である）。コントローラ１６は、同軸ケーブル（同軸コネクタ）上で消えるＦＳＫポーリングメッセージを送信し、同軸ケーブル上にＳＷＭ「マスタ」（例えば衛星放送用パラボラアンテナコントローラ）がある場合、コントローラ１６は反応し、セットトップボックス１０がＳＷＭモードで動作しなければならないことを確認する。
【００１９】
あるいは、制御信号に含まれるデータは、（ａ）セットトップボックス１０が接続されたネットワークのタイプの分析に応じて、（ｂ）ネットワークのタイプについてのユーザ選択に応じて、（ｃ）システムコントローラ１６のメモリに格納された設定情報（例えば、セットトップボックス１０の動作モードを規定するセットトップボックス１０の初期設定時に入力された情報）に応じて、（ｄ）リモートソースから提供される、セットトップボックス１０の動作モードを規定する設定に応じて決定することができる。
【００２０】
第１のデータバス１０４は、ＤＨＮベースバンド回路１１０とシステムコントローラ１６との間のデータ通信を可能にする。第１のデータバス１０４を通じて提供されるデータは、デジタルホームネットワーキング信号から引き出された音声／映像データを含むことができる。この例では、ＤＨＮシステム１００によって受信される音声／映像データは、システムコントローラ１６に提供され、さらに変調および表示のためにチューナ８およびシステムコントローラ１６に提供される。システムコントローラ１６はまた、位相同期ループ（Ｐｈａｓｅ  Ｌｏｃｋｅｄ  Ｌｏｏｐ、ＰＬＬ）制御ライン１０６を介してＤＨＮベースバンドＩＣ１１０に結合され、これによりＤＨＮベースバンド回路１１０へ提供される基準クロック信号を有効または無効にする。
【００２１】
ＤＨＮシステム１００は、第２の制御バス１１２および第２のデータバス１１４を通じてＤＨＮベースバンド回路１１０に接続する（ｉｎｔｅｒｆａｃｅ）ＤＨＮ  ｕｐ／ｄｎ変換器回路１２０をさらに含む。ＤＨＮ変換器１２０は、デジタルホームネットワーキング信号１２２を受信するための入力と、デジタルホームネットワーキング信号１２４を送信するための出力とを含む。デジタルホームネットワーキング信号１２２を受信すると、ＤＨＮ変換器１２０はこの信号１２２を第１の周波数から第２の異なる周波数へ自動的に変換する。例えば、入力コネクタ４において受信され、Ｔｘ／Ｒｘスイッチ１０６を介して提供されるとき、ＤＨＮ信号は５００ＭＨｚと６００ＭＨｚとの間の範囲の周波数を有する。ＤＨＮ  ｕｐ／ｄｎ変換器１２０は周波数をおよそ２５ＭＨｚに変え、さらにｕｐ／ｄｎ変換器１２０は２５ＭＨｚの基準クロック信号１１６をＤＨＮベースバンド回路１１０に提供し、それによって使用される。送信モードでは、システムコントローラは、ＤＨＮスイッチ１３０を制御するために提供されるスイッチ制御信号１３２を生成する。制御信号１３２を受信すると、ＤＨＮスイッチ１３０は「＋５ＶＯ」と示している電源を電力増幅器１４０に接続し、それによって送信中のデジタルホームネットワーキング信号１２４を増幅する。
【００２２】
セットトップボックス１０が異なるタイプの信号を異なる周波数において選択的に受信および送信できるとき、ＤＨＮシステム１００の動作が必要とされないときはＬＯＷ  ＰＯＷＥＲモードで動作するようにＤＨＮシステムを自動的に設定し、必要とされるときはＤＨＮシステムがＦＵＬＬ  ＰＯＷＥＲモードで動作するように自動的に設定することが有利である。したがって、ＤＨＮシステム１００は、第１のモード（ＬＯＷ  ＰＯＷＥＲ）および第２のモード（ＦＵＬＬ  ＰＯＷＥＲ）での動作を可能にする。
【００２３】
第１の動作モードではシステムコントローラ１６は、入力コネクタ４で受信される信号のタイプがデジタルホームネットワーキング信号を含んでいないこと、したがって非ＳＷＭモードで動作していることを自動的に検出する。この判断に応じて、システムコントローラはＤＨＮシステム１００がＬＯＷ  ＰＯＷＥＲモードに入るべきであることを示すＬＯＷ  ＰＯＷＥＲ制御信号を生成する。ＬＯＷ  ＰＯＷＥＲ制御信号は、第１の制御バス１０２を介して１１０内のＤＨＮベースバンドＩＣに提供される。ＤＨＮベースバンド回路１１０はさらなる制御信号を生成し、ＤＨＮ変換器１２０に向かう第２の制御バス１１２を介してこれを提供し、ＬＯＷ  ＰＯＷＥＲモードに入る。ＬＯＷ  ＰＯＷＥＲに入ると、ＤＨＮ変換器１２０の発振器は、変換器１２０の残りの回路から切り離され、それによってＤＨＮ  ｕｐ／ｄｎ変換器１２０の電力消費量を最小限にする。ＤＨＮベースバンドおよびＤＨＮ  ｕｐ／ｄｎ変換器がＬＯＷ  ＰＯＷＥＲモードになると、システムコントローラ１６はＰＬＬ制御信号の論理レベルを変更し、次いでＤＨＮベースバンド回路１１０内の内部クロックツリーを無効にして電力消費量を最小限にする。システムコントローラ１６はまた、ＤＨＮスイッチ１３０に信号を送って、５Ｖ電源を電力増幅器１４０から切り離す。
【００２４】
第２の動作モードでは、入力４で受信した信号がデジタルホームネットワーキングデータを含んでいると判断することに応じて、システムコントローラ１６は、ＤＨＮシステム１００がＦＵＬＬ  ＰＯＷＥＲモードで動作しなければならないと判断する。コントローラ１６は、ＰＬＬ制御信号の論理を自動的に変更して、ＤＨＮベースバンド回路１１０への基準クロック信号を復元し、ＤＨＮスイッチに信号を送って電源を増幅器１４０に接続する。コントローラ１６はさらに、ＤＨＮベースバンドＩＣ１１０のレジスタ値を変更してＦＵＬＬ  ＰＯＷＥＲモードに入り、ＤＨＮベースバンドＩＣ１１０はＤＨＮ変換器１２０に信号を送って内部回路を発振器に再び接続する。
【００２５】
セットトップボックス１０はまた、システムコントローラ１６に接続されたユーザ制御インタフェースを含むことができる。ユーザ制御インタフェースは、キーパッドまたはタッチパッドを介するなど、直接またはリモート制御アクセスを含むことができ、また状態を表示するための小ディスプレイを含むこともできる。ユーザ制御インタフェースにより、ユーザは放送信号を受信するためのチャネルを変更すること、ならびにホームネットワーキングシステムの電力制御および操作の設定を変更することができるようになる。
【００２６】
図２を参照すると、図１に記載するシステムによって実行される例示的電力制御アルゴリズム２００が示されている。このアルゴリズムは、ステップ２０５から始まり、セットトップボックスのＤＨＮ回路が第１のＬＯＷ  ＰＯＷＥＲモードまたは第２のＦＵＬＬ  ＰＯＷＥＲモードであるべきかどうかを判断する。ステップ２１０においてシステムコントローラは、セットトップボックスが使用中であるか、またはスタンバイモードであるかをチェックする。ステップ２１２においてセットトップボックスがスタンバイモードではない場合、システムコントローラは入力コネクタにおいて衛星信号のタイプをチェックする。ステップ２１３において、信号がＳＷＭ信号である場合、システムコントローラはステップ２１４においてネットワークの媒体アクセス制御（ＭＡＣ）の設定（ＭｏＣＡまたはイーサネット（登録商標））に対するユーザの選択をチェックする。ステップ２１５において、ユーザの選択がＭｏＣＡモードである場合、システムコントローラは、ステップ２１７においてＦＵＬＬ  ＰＯＷＥＲモードをセットアップすることによってＭｏＣＡ回路をアクティブ化する。ＭｏＣＡ集積回路は、その仕様書に記載されているように一連のレジスタの書込みおよび制御ピン電圧設定によって通常動作に戻され、電力は、ＭＯＳＦＥＴスイッチを閉じることによって個々のＭｏＣＡ回路に戻される。
【００２７】
ステップ２１０、２１３、および２１５に戻ると、アルゴリズムはセットトップボックスのＤＨＮ回路をＬＯＷ  ＰＯＷＥＲモードにすることができる。ステップ２１０においてセットトップボックスはＳＴＡＮＤＢＹモードであると判断されるとき、ＬＯＷ  ＰＯＷＥＲモードに切り換えられる。さらに、ステップ２１３で行われる信号の判断が、受信信号はＳＷＭ信号ではないことを示すとき、ＬＯＷ  ＰＯＷＥＲモードに切り換えられる。ステップ２１５における決定がユーザの選択したネットワークの設定がＭｏＣＡ以外、例えばイーサネット（登録商標）であることを示すとき、やはりＬＯＷ  ＰＯＷＥＲに切り換えられる。ＭｏＣＡ回路はＬＯＷ  ＰＯＷＥＲモードであるべきと判断すると、システムコントローラはその仕様書に記載されているように、一連のレジスタの書込みおよび制御ピン電圧の設定でＭｏＣＡ集積回路を低電力モードにし、またＭＯＳＦＥＴスイッチを開くことによって電力は個々のＭｏＣＡ回路から切り離される。
【００２８】
このアルゴリズムを、セットトップボックスの現在の動作に応じて全体または一部に実装することができる。これにより、その動作モードの間に必要とされない回路から電力を有利に消散しながら、現在のモードにおける適切な動作に必要とされる電力レベルを実現することが確実になる。このアルゴリズムは、コンピュータ可読媒体上に組み入れられた機械可読コードとして具体化することができる。
【００２９】
図３〜６の回路図は、図１に関して上述したブロックと同様の例示的回路を表し、これらは図２に関して上述したアルゴリズムによって作用される。図３〜６の回路の動作は、セットトップボックス１０におけるＤＨＮシステム１００の電力レベルをトグル式に切り換える（ｔｏｇｇｌｅ）ために、互いと関連して理解されなければならないこと、および各図のそれぞれの動作モードで説明した信号は、ほぼ同時に発生してＤＨＮシステム１００の電力の変化をもたらすことを、当業者は理解するであろう。
【００３０】
図３を参照すると、ホームネットワーキング電源スイッチ３００の一実施形態の回路図が示されている。電源スイッチ３００は、図１のＤＨＮ電源スイッチ１３０に対応することができる例示的回路である。ＤＨＮ電源スイッチ３００は、ＤＨＮ回路をＦＵＬＬ  ＰＯＷＥＲモードまたはＬＯＷ  ＰＯＷＥＲモードにするとき、制御信号が取る経路の一部を識別する。ＤＨＮ電源スイッチは、少なくとも１つの入力３０２を含む。電力モードを識別する制御信号ＤＨＮ  ＯＮが入力３０２で受信される。入力３０２とバイポーラ（ＮＰＮタイプ）トランジスタ３０４との間に絶縁抵抗３０３が結合される。トランジスタ３０４に提供される５Ｖ電力のソース３０９の間に、プルアップ抵抗３０６が結合される。入力３０２は、バイポーラトランジスタ３０４によってバッファされ、絶縁抵抗３０８を通ってＭＯＳＦＥＴスイッチ３１０のゲートを動かす。コンデンサ３０７がグランドに結合され、スイッチング制御信号にノイズフィルタとして作用する。ＭＯＳＦＥＴ３１０を使用して、電源３０９から提供される「＋５Ｖ０」ソースを出力３１３に切り換える。例えばスイッチ３１０は、Ｐ−Ｃｈａｎｎｅｌ  ＭＯＳＦＥＴである可能性がある。出力３１３は、図１のセットトップボックスなどのデバイスから送信されているデジタルホームネットワーキング信号を増幅する電力増幅器（図示せず）に結合される。１つの実施形態では、ＭＯＳＦＥＴスイッチ３１０は、ＦＵＬＬ  ＰＯＷＥＲモードでは出力３１３からの「＋５Ｖ０」ソースを接続し、ＬＯＷ  ＰＯＷＥＲモードでは出力３１３からの「＋５Ｖ０」ソースを切り離す。電源３０９は、（５Ｖ）のソースであり、ＦＵＬＬ  ＰＯＷＥＲモードにおいて電力増幅器に電力を供給するために出力３１３に５Ｖを提供する。
【００３１】
第１の動作モードでは、電力制御信号は、ＤＨＮ回路３１０にＦＵＬＬ  ＰＯＷＥＲモードで動作するようにする。３０２で制御信号を受け取ると（論理「１」）、スイッチ３０４が信号をバッファして反転させ、ＭＯＳＦＥＴ３１０のゲートをローにし、図１のパワーアンプ１４０のようなパワーアンプに５Ｖ電源を送る。
【００３２】
第２の動作モードでは、制御信号がＬＯＷ  ＰＯＷＥＲモードでの動作を指示する。３０２において制御信号を受け取ると（論理「０」）、トランジスタ３０４が信号をバッファして反転させ、ＭＯＳＦＥＴ３１０のゲートをハイにし、これがスイッチとして働いて出力３１３から５Ｖ電源を取り除き、ＭＯＳＦＥＴ３１０を通って５Ｖ電源に接続された電力増幅器をＬＯＷ  ＰＯＷＥＲモードにする。
【００３３】
図４を参照すると、いくつかのインタフェースを詳述しているホームネットワーキングベースバンド回路４００の一実施形態の回路図が示されている。ホームネットワーキングベースバンド回路４００は、図１の回路１１０に対応することができる例示的回路である。ＤＨＮ回路４００は、ＰＬＬ＿ＥＮ入力ライン４０２を含んでおり、図１に示すシステムコントローラ１６などのコントローラからの制御信号に応じて、ＤＨＮベースバンド集積回路（ＩＣ）４０１のＰＬＬを選択的に有効または無効にする。ＰＬＬの無効化は、ＤＨＮモードがアクティブではないときのＩＣ４０１の電力使用量を削減するために使用される。ＤＨＮベースバンド回路４００はさらに、図１に示すＤＨＮ変換器１２０のようなＤＨＮ  ｕｐ／ｄｎ変換器回路にＤＨＮベースバンド回路４００を接続するデータバス４０６および制御バス４０４を含む。データバス４０６は、デジタルホームネットワーキングの信号データを知られている方法で送信および受信する間、モデムのチップと変換器のチップとの間でベースバンド信号を送受信するために使用される。データバス４０６は、チップの電力構成には関係がないので、これ以上説明しない。ＤＨＮクロック４０７は、ＤＨＮ  ｕｐ／ｄｎ変換器で生成され、ＤＨＮベースバンド回路４００にシステムクロック信号を提供する。
【００３４】
ＦＵＬＬ  ＰＯＷＥＲモードと呼ばれる第１の動作モードでは、制御信号はピン４０２で受信され、ＤＨＮベースバンド回路４００でＰＬＬを有効にする。したがって、ＤＨＮ回路４００の内部クロックは、ピン４０７で受信されたシステムクロックの入力を使用することができる。ＰＬＬが有効であるとき、システムコントローラ６００によってＭＤＩＯバス４０９を通じて内部レジスタが起動されると、ＤＨＮ回路４００はＦＵＬＬ  ＰＯＷＥＲモードになる。
【００３５】
ＬＯＷ  ＰＯＷＥＲモードと呼ばれる第２の動作モードでは、第１の制御信号がコントローラによってＤＨＮベースバンドＩＣ４０１に送信され、パワーダウンルーチン（ｐｏｗｅｒ  ｄｏｗｎ  ｒｏｕｔｉｎｅ）を開始する。ＤＨＮベースバンドＩＣ４０１は、５００において制御バス４０４を介してＤＨＮ  ｕｐ／ｄｎ変換器のＩＣに信号を送信することを含むパワーダウンルーチンを起動して、電力を下げる。両方のＩＣがパワーダウンされると、ＰＬＬ＿Ｅｎａｂｌｅライン４０２が無効にされてパワーダウン手順を完了する。ＰＬＬ＿Ｅｎａｂｌｅライン４０２上の論理「０」により、ＤＨＮベースバンド回路４０１のＰＬＬが無効にされ、これによりＤＨＮ回路４０１の内部クロックを停止する。
【００３６】
図５を参照すると、ホームネットワーキングｕｐ／ｄｎ変換器回路５００の一実施形態の回路図が示されている。ｕｐ／ｄｎ変換器５００は、図１に示すＤＨＮ変換器１２０に対応することができる例示的回路である。ｕｐ／ｄｎ変換器５００は、上述のベースバンド回路４００と通信している。ＩＣ５０１は、デジタルホームネットワーキング信号を第１の周波数から異なる第２の周波数へ自動的に変換するｕｐ／ｄｎ変換器のＩＣである。例えば、アップコンバート（ｕｐ−ｃｏｎｖｅｒｔ）または送信モードのｕｐ／ｄｎ変換器は、２５ＭＨｚのＤＨＮ信号が、４７５ＭＨｚと６００ＭＨｚの間のＭｏＣＡプロトコルの範囲内の周波数にアップコンバートされる。ＤＨＮ信号を受信するときは、逆のプロセスが行われる。この変換は、当業者にはよく知られている方法で行うことができる。ＩＣ５０１は、データバス４０６を介して図４のＤＨＮベースバンド４０１などのベースバンドＩＣに接続されるデータバス５０６を含んでいる。ＩＣ５００は、ＩＣ５０１とベースバンドＩＣとの間の通信を可能にする制御バス５０４をさらに含んでいる。
【００３７】
ＦＵＬＬ  ＰＯＷＥＲモードと呼ばれる第１の動作モードでは、ＩＣ５０１が制御バス５０４を介して、システムがＦＵＬＬ  ＰＯＷＥＲモードで動作していることを識別し、ＩＣ５０１に、通常の動作の方法でデータを送受信することによってその意図されたように動作するようにする制御信号を受信する。ＬＯＷ  ＰＯＷＥＲモードと呼ばれる第２の動作モードでは、ＩＣ５０１は制御バス５０４を介して、システムがＬＯＷ  ＰＯＷＥＲモードで動作していることを識別する制御信号を受信する。この制御信号を受信すると、ＩＣ５０１はＬＯＷ  ＰＯＷＥＲモードで動作させられる。ＬＯＷ  ＰＯＷＥＲモードでは、ＩＣ５０１はＤＨＮデータの送信をやめ、受信データの処理をやめる。出力５０７は、ＤＨＮ  ｕｐ／ｄｎ変換器のＩＣによって生成される２５ＭＨｚのクロックであり、図４のベースバンドＩＣ４０１のようなベースバンドＩＣで入力クロックを作動させるためにバッファされる。
【００３８】
図６を参照すると、ホームネットワーキングシステムおよびシステムコントローラのインタフェース６００の一実施形態の回路図が示されている。システムコントローラ６０１は、図１のブロック１６に対応することができる例示的回路である。ＤＨＮベースバンド回路６２０は、図１のブロック１１０に対応することができる例示的回路である。ＤＨＮベースバンド回路６２０は、クロック入力６０２およびシステムバスの入力／出力６０４をさらに含む。クロック入力６０２およびシステムバスの入力／出力６０４によって形成されたＭＤＩＯバスは、システムコントローラ６０１をＤＨＮベースバンド回路６２０に接続するシリアルバスである。ＭＤＩＯバス６０２／６０４は、ＤＨＮベースバンドＩＣの動作方法を制御するために使用される管理インタフェースである。例えば、ＭＤＩＯバス６２０／６０４により、ＤＨＮベースバンドＩＣ上の状態および制御レジスタ（ｓｔａｔｕｓ  ａｎｄ  ｃｏｎｔｒｏｌ  ｒｅｇｉｓｔｅｒ）が読み出されるまたは書き込まれるようになる。ＭＤＩＯバス６０２／６０３はまた、ファームウェア、またはソフトウェア制御アルゴリズムを内部メモリまたは外部メモリからダウンロードするために使用される。ＤＨＮベースバンドＩＣとシステムコントローラ６００との間でデータを転送するために、ＭＩＩバス６０５が使用される。さらにシステムコントローラからＰＬＬ＿Ｅｎａｂｌｅ制御ラインおよびＤＨＮ＿Ｏｎ制御ラインが示されている。ＰＬＬ＿Ｅｎａｂｌｅラインは図４の信号４０２と同じものであり、ＤＨＮ＿Ｏｎラインは図３の信号３０２と同じものである。
【００３９】
図７を参照すると、モード制御プロセス７００の一実施形態の流れ図が示されている。モード制御プロセス７００は、図１に記載するセットトップボックスの動作とともに使用することができる。あるいはモード制御プロセス７００は、図３〜６に記載する回路を操作するために使用することができる。モード制御プロセス７００は、セットトップボックスの現在の動作に応じて全体または一部に実行することができる。これにより、その動作モードの間に必要とされない回路から電力を有利に消散しながら、現在のモードにおける適切な動作に必要とされる電力レベルを実現することが確実になる。モード制御プロセス７００は、コンピュータ可読媒体上に組み込まれる機械可読コードとして具体化することができる。
【００４０】
ステップ７０２では、放送データ信号およびデジタルホームネットワーキング信号を受信することができる受信機によって受信された入力信号が分析される。次にステップ７０４において、システムは入力信号に基づいて、受信機が第１の電力、又は家庭用エネルギー使用のレベルを有する第１のモードで動作しているか、第２の電力、又は家庭用エネルギー使用のレベルを有する第２のモードで動作しているかを判断する。ステップ７０４における判断は、ステップ７０２において受信される入力信号のタイプに基づくことができる。受信機が第１のモードで動作しているという判断に応じて、ステップ７０６に示すように第１の電力レベルにより第１の回路が動作するように構成するために、第１の回路上の少なくとも１つの設定を変更するための制御信号が生成される。ステップ７０６に記載する第１の回路は、第１のタイプの回路、例えばデジタルホームネットワーキングベースバンドＩＣとすることができる。
【００４１】
次に、ステップ７０８において、第１の回路に制御信号が提供され、制御信号に基づいて第１の電力レベルに従って動作するように第１の回路を構成する。１つの実施形態では、７０８における構成のステップはさらに、主要電源から第１の回路を切り離して低電力モードを有効にすることを含む。代替的実施形態では、７０８における構成のステップは、第１のタイプの回路を主要電源から切り離すこと、第１のタイプの回路が低電力モードで動作することを示すために第１のタイプの回路上のレジスタ値を変更すること、第１のタイプの回路の位相同期ループを無効にすること、および第１のタイプの回路の内部クロックを無効にすることを含む。制御信号は、ステップ７１０において、第１の回路と関連する第２の回路に提供される。第２の回路は、例えば、信号を第１の周波数から第２の周波数へ変換するための変換器回路など、第１の回路とは異なる第２のタイプの回路であることが可能である。第２の回路は、ステップ７１２において制御信号に基づいて第１の電力レベルに従って動作するように構成される。その上さらなる実施形態では、システムコントローラは、受信機が第２のモードで動作しているという判断に応じて、第２の電力レベルに従って動作するようにデジタルホームネットワーキング回路を構成するデジタルホームネットワーキング回路上の少なくとも１つの設定を変更するための制御信号を生成する。この制御信号は、受信機が第２のモードで動作していると判断することに応じて、第２の制御信号に基づいて第２の電力レベルに従って動作するようにデジタルホームネットワーキング回路を構成することができる。
【００４２】
諸実施形態は、様々な変更形態および代替形態が可能であるが、特定の実施形態を図面に例として示し、本明細書で詳細に説明した。しかしながら、本開示は、開示した特定の形態に限定されることを意図していないことを理解すべきである。そうではなく本開示は、添付の特許請求の範囲で定める開示の範囲内に入るすべての変更形態、等価物、および代替形態を含むものとする。
【図１】
2013517678.tif 000003
【図２】
2013517678.tif 000004
【図３】
2013517678.tif 000005
【図４】
2013517678.tif 000006
【図５】
2013517678.tif 000007
【図６】
2013517678.tif 000008
【図７】
2013517678.tif 000009
【国際調査報告】
2013517678.tif 000010
2013517678.tif 000011
2013517678.tif 000012